【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
内孔を有するハウジングと、該内孔に摺動可能に嵌め込まれるランセットとを備え、該ランセットは、穿刺部品であり、穿刺操作のために、その尖った先端が前記内孔の前端から露出せしめられる穿刺位置と、使用者を針刺し負傷から保護するため、該ランセットが該内孔に沿って安全な位置まで後方に変位せしめられる退避位置との間を移動可能である医療器具にして、
かかる医療器具は、シール面と摺動係合されているシール手段を備え、該ランセットの前方及び後方移動時に、該シール手段と該シール面のうちの一つは、該ランセットと共に固定的に移動可能であり、
前記退避位置において、液体収容空間が該ランセット先端の前方の内孔内に規定され、該液体収容空間は、水性液体が、前記内孔の前端の直径全体を埋め、前記内孔の前端部の円周全体を湿らせ、該液体収容空間内に吸引されることを許容し、更に、表面張力と前記シール手段により該液体収容空間に保持されることを許容するように、３ｍｍ以下の断面直径を有しており、そして該シール手段は、前記ランセットの前方及び後方移動時に、該シール手段を通過する前記液体収容空間からの水性液体の流れを実質的に防止するように、且つ、重力の影響下に前記水性液体が前記内孔の前端から垂れることに抵抗するように、働き得るものであり、そして、
(i) 該ランセットの前記穿刺位置と前記退避位置との間の変位が、前記内孔の前端より
、前記液体収容空間内へ及びそれに沿って水性液体を引き込む吸引力を与え、
(ii) 該ランセットの前記穿刺位置と前記退避位置との間の変位が、前記内孔の前端を      経て、前記液体収容空間から水性液体を吐出する圧力を与えている、
ことを特徴とする水性液体を吸引及び／又は施与するための医療器具。
【請求項２】
前記ハウジングが、プラスチック又は合成樹脂で製造されていることを特徴とする請求項１に記載の器具。
【請求項３】
前記シール手段が前記ランセットの外面により形成され、前記シール面が前記内孔の内面である請求項１又は請求項２に記載の器具。
【請求項４】
前記ランセットの外面が、前記シール手段を囲み突起として与えるように形成されている請求項３に記載の器具。
【請求項５】
前記シール手段が前記ランセットの周りに配設されたシール部材であり、前記シール面が前記内孔の内面である請求項１又は請求項２に記載の器具。
【請求項６】
前記シール手段が前記内孔の内面に配設されたシール部材であり、前記シール面が前記ランセットの外面である請求項１又は請求項２に記載の器具。
【請求項７】
前記シール手段が、少なくとも前記ランセットが退避位置にある時は、該ランセットの先端に隣接するように配置されている請求項１乃至請求項６のうちの何れか１項に記載の器具。
【請求項８】
前記穿刺位置と前記退避位置との間に、前記ランセットの中間の遅滞位置を与える協働手段を有する請求項１乃至請求項７のうちの何れか１項に記載の器具。
【請求項９】
前記ランセットの前方及び／又は後方移動を制限する、少なくとも一つの停止部材を具備する請求項１乃至請求項８のうちの何れか１項に記載の器具。
【請求項１０】
前記シール手段は、前記穿刺位置で、前記シール面と非接触か、または前記退避位置と比較して低減された圧力でシール面と接触し、それによって前記穿刺位置で、前記ランセットの動きに対して低い摩擦を与えている請求項１乃至請求項９のうちの何れか１項に記載の器具。
【請求項１１】
前記穿刺位置から退避する間に、前記シール手段の前記シール面との接触、または増大した接触が、前記中間の遅滞位置を与えている請求項８に従属した請求項１０に記載の器具。
【請求項１２】
前記内孔が、前記ランセットの前記穿刺位置に前記シール手段または前記シール面を位置させるために、断面寸法が増加した領域を含んでいる請求項１０又は請求項１１に記載の器具。
【請求項１３】
前記シール手段またはシール面が、前記ランセットの前記穿刺位置で、前記内孔の前端を越えて配置される請求項１０又は請求項１１に記載の器具。
【請求項１４】
前記シール手段は、前記ランセットの前方の先端から前記器具の後方に向かって配置されるシール部材であって、前記ランセットの先端と共に移動可能であり、前記シール面は、前記内孔のシール領域の内面によって形成される請求項１乃至請求項１３のうちの何れか１項に記載の器具。
【請求項１５】
前記シール部材の断面寸法が、前記液体収容空間の断面寸法より大きいが、前記液体収容空間の断面寸法の１０倍若しくはそれ以下である請求項１４に記載の器具。
【請求項１６】
前記ランセットの先端が、該ランセットの非先端領域の最も小さな断面寸法の４分の１又はそれ以下の曲率半径を少なくとも一つの寸法において持つように先鋭化されている請求項１乃至請求項１５のうちの何れか１項に記載の器具。
【請求項１７】
前記内孔が、該内孔の前側部と後側部の間に配置され、それら前後側部よりも大きな断面寸法を有するチャンバを含んでいる請求項１乃至請求項１６のうちの何れか１項に記載の器具。
【請求項１８】
前記内孔の前記断面寸法が、該内孔の前側部と前記チャンバとの間で階段状に増大する請求項１７に記載の器具。
【請求項１９】
前記液体収容空間が、使用時に、該液体収容空間に収容されている前記液体の特性を測定、または分析する手段を提供する請求項１乃至請求項１８のうちの何れか１項に記載の器具。
【請求項２０】
前記液体収容空間と連通する、前記内孔からの第二の導管を有する請求項１乃至請求項１９のうちの何れか１項に記載の器具。
【請求項２１】
前記ランセットの先端の前方に配置され、少なくとも前記液体収容空間の一部をシールする閉鎖部材を具備する請求項１乃至請求項２０のうちの何れか１項に記載の器具。
【請求項２２】
前記閉鎖部材が、器具の操作中に、前記ランセットにより取り除かれ、又は穿刺されるよう適合されている請求項２１に記載の器具。
【請求項２３】
前記液体収容空間の少なくとも一部が、器具の操作によって被験者に適用される液体を含んでいる請求項１乃至請求項２２のうちの何れか１項に記載の器具。
【請求項２４】
前記内孔の前端の前方に配置されたスペーサ部材を含み、該スペーサ部材が、被験者の皮膚との接触用である請求項１乃至請求項２３のうちの何れか１項に記載の器具。
【請求項２５】
前記スペーサ部材が、被験者の皮膚の刺し傷と前記内孔の前端部との間に蓄積空間を与える寸法とされ、前記傷からの液体が、器具の操作によって前記液体収容空間に引き入れられる前に、前記蓄積空間に蓄積され得るようになっている請求項２４に記載の器具。
【請求項２６】
前記スペーサ部材が、前記液体収容空間内へ及びそれに沿って水性液体を吸引する間、前記内孔の前端において真空が形成されることを防止するためのベント又はスロットを有している請求項２４又は請求項２５に記載の器具。
【請求項２７】
前記スペーサ部材が、前記ランセットの先端の穿刺位置に向かって内側に突き出す１つ又はそれ以上の突起を備え、該突起が、蓄積される液体の前記内孔の前端に向かう流れを高める表面を与えている請求項２４乃至請求項２６のうちの何れか１項に記載の器具。
【請求項２８】
前記内孔の前端に、液体の存在または不在を検知するための検知手段を有している請求項１乃至請求項２７のうちの何れか１項に記載の器具。
【請求項２９】
前記検知手段が、少なくとも２つの電極を有し、少なくとも１つの電極は前記内孔の前端に配置され、前記電極間の抵抗を測定することによって、前記内孔の前端において液体の存在または不在を検知する請求項２８に記載の器具。
【請求項３０】
前記ランセットが、前記電極の１つを提供する請求項２９に記載の器具。
【請求項３１】
前記液体収容空間の中の液体の存在及び／又は液体の量を検知するための検知手段を有する請求項１乃至請求項３０のうちの何れか１項に記載の器具。
【請求項３２】
前記器具が、血液採取器具又はアレルギー検査器具である請求項１乃至請求項３１のうちの何れか１項に記載の器具。
【請求項３３】
前記液体収容空間が、予め満たされ、且つシールされており、該液体収容空間が、アレルゲン、アレルゲン粒子をキャリア液に懸濁したもの、又はコントロール液で予め満たされている請求項３２に記載のアレルギー検査器具。